(57)【要約】      （修正有）【課題】使い勝手の良いシーソー方式の電動リール装置を提供する。【解決手段】リール本体２を竿先上げ方向Ｕに向けることにより釣糸Ｃを巻き取ることができ、リール本体２を竿先下げ方向Ｄに向けることにより釣糸Ｃを引き出し可能にできる。リール本体２を略水平な状態にすることによって、スプール３をロック状態にできる。リール本体２を把持する手の手首のスナップで電動リール装置のオンオフを制御することができる。巻取スイッチ７のオンによっても釣糸Ｃを巻き取ることができ、クラッチ９を押しても釣糸Ｃを引き出すことができる。優れた操作性を有するため、魚釣りの初心者および熟練者を問わず、様々な利用者の使い勝手を向上することができる。【選択図】図１
0003174513.tif 000002
【実用新案登録請求の範囲】
【請求項１】
釣竿の基端部が長手方向の一端部に着脱自在に取付けられるリール本体と、
このリール本体に回転可能に取付けられたスプールと、
前記スプールを回転させるためのモータと、
前記リール本体の長手方向を略水平にした状態から、このリール本体の一端側を上方または他端側を下方に移動させて、このリール本体の長手方向を釣り上げ方向に傾斜させることにより前記モータを駆動させるスイッチ機構と、
を有することを特徴とする電動リール装置。
【請求項２】
請求項１記載の電動リール装置において、
前記スイッチ機構は、
前記リール本体の長手方向に沿って移動可能に取り付けられた移動体と、
前記リール本体の長手方向の他端部に設けられ、このリール本体の長手方向を前記釣り上げ方向に傾斜させることにより前記移動体に接触してオンし前記モータを駆動させるスイッチ体と、
を備えたことを特徴とする電動リール装置。
【請求項３】
請求項１または２記載の電動リール装置において、
前記スイッチ機構は、
前記リール本体内の底部に長手方向に沿って取り付けられた導電性を有するスイッチ板を備え、
前記移動体は、導電性を有し、前記スイッチ板上に移動可能に設置され、
前記スイッチ体は、導電性を有し、前記リール本体の長手方向を前記釣り上げ方向に傾斜させて前記移動体に接触することにより前記スイッチ板に電気的に接続されてオンし前記モータを駆動させる
ことを特徴とする電動リール装置。
【考案の詳細な説明】
【技術分野】
【０００１】
本考案は、釣竿に着脱自在に取付けられる電動リール装置に関する。
【背景技術】
【０００２】
従来、この種の電動リール装置としては、例えば下記特許文献１に記載の構成の電動リール付き釣り竿が知られている。この電動リール付き釣り竿は、魚が掛かって釣り竿の穂先が撓み、この穂先と導電板とが電気的に接触した際に、スイッチがオンしてモータが駆動し、リールが自動的に回転して魚を釣り上げることができる構成とされている。
【先行技術文献】
【特許文献】
【０００３】
【特許文献１】実用新案登録第３１４８７６８号公報
【考案の概要】
【考案が解決しようとする課題】
【０００４】
しかしながら、上記特許文献１にかかる従来技術によれば、導電板に接触するまで穂先が大きく撓まなければスイッチがオンせずリールが回転しない。よって、魚の活性が低く食いつきが浅く引きが弱い場合においては、穂先のたわみ量が小さいため、リールが回転せず魚を釣り上げることができないから、様々なあたりに対して適切な対応ができず、漁獲量が少なくなってしまうおそれがある。このため、熟練した利用者にとっては、使い勝手が良くないという問題を有している。
【０００５】
そこで本考案は、従来技術における上記問題を解決し、使い勝手の良い電動リール装置を提供することを目的とする。
【課題を解決するための手段】
【０００６】
この課題を解決するため、請求項１にかかる本考案は、釣竿の基端部が長手方向の一端部に着脱自在に取付けられるリール本体と、このリール本体に回転可能に取付けられたスプールと、前記スプールを回転させるためのモータと、前記リール本体の長手方向を略水平にした状態から、このリール本体の一端側を上方または他端側を下方に移動させて、このリール本体の長手方向を釣り上げ方向に傾斜させることにより前記モータを駆動させるスイッチ機構と、を有することを特徴とする電動リール装置である。
【０００７】
そして、このように構成したことにより、釣竿の基端部が一端部に取り付けられたリール本体の長手方向を略水平にした状態から、このリール本体の一端側を上方または他端側を下方に移動させて、このリール本体の長手方向を釣り上げ方向に傾斜させる。すると、スイッチ機構にてモータが駆動されスプールを回転させることができる。したがって、リール本体を釣り上げ方向に傾けるだけでスプールを自動的に回転させることができるから、魚の様々な引きの強さや感触に対応させて魚を釣り上げることができる。また、利用者の判断でリール本体を傾けてスプールを自動的に回転させることができるから、初心者および熟練者を問わず様々な利用者の使い勝手を向上することができる。
【０００８】
請求項２は、請求項１記載の電動リール装置において、前記スイッチ機構は、前記リール本体の長手方向に沿って移動可能に取り付けられた移動体と、前記リール本体の長手方向の他端部に設けられ、このリール本体の長手方向を前記釣り上げ方向に傾斜させることにより前記移動体に接触してオンし前記モータを駆動させるスイッチ体と、を備えたことを特徴とする。
【０００９】
そして、このように構成したことにより、リール本体の長手方向を釣り上げ方向に傾斜させると、移動体がリール本体の長手方向の他端側に移動してスイッチ体に接触してオンさせモータを駆動させる。よって、リール本体の長手方向を傾斜させるタイミングや速さに応じて、スプールを自動的に回転させるタイミングを調整することができるから、利用者の使い勝手をより向上することができる。
【００１０】
請求項３は、請求項１または２記載の電動リール装置において、前記スイッチ機構は、前記リール本体内の底部に長手方向に沿って取り付けられた導電性を有するスイッチ板を備え、前記移動体は、導電性を有し、前記スイッチ板上に移動可能に設置され、前記スイッチ体は、導電性を有し、前記リール本体の長手方向を前記釣り上げ方向に傾斜させて前記移動体に接触することにより前記スイッチ板に電気的に接続されてオンし前記モータを駆動させることを特徴とする。
【００１１】
そして、このように構成したことにより、リール本体の長手方向を釣り上げ方向に傾斜させると、このリール本体の底部に取り付けられたスイッチ板上の移動体が長手方向の他端側へ移動していき、スイッチ体に接触する。すると、この移動体を介してスイッチ板がスイッチ体に電気的に接続されてオンしてモータが駆動され、スプールが自動的に回転する。よって、これらスイッチ板、移動体およびスイッチ体を導電性とした比較的簡単な構成でスイッチ機構を構成できるので、このスイッチ機構をより安価にかつ製造性良く製造できるから、電動リール装置を比較的安価に製造することができる。
【考案の効果】
【００１２】
本考案によれば、リール本体の長手方向を略水平にした状態から、このリール本体の長手方向を釣り上げ方向に傾斜させることにより、スイッチ機構にてモータが駆動されスプールが自動的に回転する。すなわち、このリール本体を釣り上げ方向に傾けるだけでスプールを自動的に回転させることができるから、魚の様々な引きの強さや感触に対応させて魚を釣り上げることができ、利用者の判断でリール本体を傾けてスプールを自動的に回転させることができる。よって、初心者および熟練者を問わず様々な利用者の使い勝手を向上できる。
【図面の簡単な説明】
【００１３】
【図１】本考案の一実施形態の電動リール装置を示す概略説明図である。
【図２】上記電動リール装置を略水平にした状態を示す概略説明図である。
【図３】上記電動リール装置の巻き上げ状態を示す概略説明図である。
【図４】上記電動リール装置の巻き上げを停止させたフリー状態を示す概略説明図である。
【考案を実施するための形態】
【００１４】
本考案の一実施形態の電動リール装置について図１ないし図４を参照して説明する。
【００１５】
＜全体構成＞
この電動リール装置１は、図１に示すように、例えばワカサギ等の魚を釣り上げるために用いられる、いわゆるシーソー方式を採用したものであって、複数のガイドＡが所定の間隔で直線上に並べられて取り付けられた釣竿Ｂの基端部に取り付けられている。すなわち、この電動リール装置１は、釣竿Ｂの各ガイドＡに通された道糸（テグス）としての釣糸Ｃを巻き取ったり引き出したりするための釣糸巻取装置である。具体的に、この電動リール装置１は、中空なリール本体２と、このリール本体２に取り付けられたスプール３と、このスプール３を回転させるためのモータ４と、このモータ４を駆動させるための電源となるバッテリ５と、このバッテリ５からモータ４への電力の供給をオンオフするスイッチ機構６とを備えている。
【００１６】
＜リール本体＞
リール本体２は、図１に示すように、長手方向を有する平面視細長矩形状に形成されており、略水平な底面部２ａと、この底面部２ａを覆うように形成された断面略円弧状の上面部２ｂを有している。そして、このリール本体２の長手方向の一端部である先端側には、釣竿Ｂの基端部が着脱自在に嵌挿される釣竿取付用の嵌挿部２ｃが設けられている。この嵌挿部２ｃは、リール本体２の長手方向に沿わせつつ、このリール本体２の幅方向の中心位置に設けられている。さらに、このリール本体２の先端側には、このリール本体２の上面部２ｂの一部が切り欠かれて切欠部２ｄが形成されている。この切欠部２ｄは、リール本体２に取り付けられるスプール３を外部に露出させるものであって、上面部２ｂの先端側の幅方向の一側が切り欠かれて形成されている。また、リール本体２の底面部２ａの切欠部２ｄに臨む位置には、この底面部２ａに対して垂直に細長円柱状のスプール軸２ｅが突設されている。
【００１７】
さらに、このリール本体２の底面部２ａ上には、細長平板状の揺動プレート２ｆが設置されている。この揺動プレート２ｆは、底面部２ａの幅寸法より小さく、かつこの底面部２ａの長手寸法より小さな細長矩形平板状に形成されており、この底面部２ａの長手方向の中間位置に設置されている。さらに、この揺動プレート２ｆは、リール本体２の切欠部２ｄより基端側の底面部２ａ上に設置されている。そして、この揺動プレート２ｆと底面部２ａとの間には、この揺動プレート２ｆを長手方向に揺動させるための支点２ｇが設けられている。この支点２ｇは、細長円柱状に形成されており、この揺動プレート２ｆの幅方向に長手方向を沿わせた状態で取り付けられている。さらに、この支点２ｇは、揺動プレート２ｆの長手方向の先端寄りの位置に取り付けられており、リール本体２の長手方向を傾斜させることによって、この揺動プレート２ｆの長手方向を揺動させる構成とされている。
【００１８】
＜スプール＞
スプール３は、円筒状のスプール本体３ａを有し、このスプール本体３ａの両側に円盤状の鍔部３ｂ，３ｃが同心状に取り付けられて形成されている。そして、このスプール３は、スプール本体３ａの中心に位置する挿通穴（図示せず）にスプール軸２ｅを回転自在に挿入されて取り付けられており、リール本体２の底面部２ａに対して垂直な回転軸方向を有している。また、このスプール３のスプール本体３ａには、所定の長さの釣糸Ｃが巻回されて取り付けられており、この釣糸Ｃはスプール３の鍔部３ｂ，３ｃ間に収容され、このスプール３の回転に伴い引き出し又は巻き取り可能に取り付けられている。そして、このスプール３に巻回されて取り付けられた釣糸Ｃの先端部は、釣竿Ｂの各ガイドＡに挿通されてから、所定の仕掛け（図示せず）が取り付けられている。また、このスプール３の上側の鍔部３ｂの外周縁には、棚決め用のフック体３ｄが取り付けられている。すなわち、このフック体３ｄは、スプール本体３ａに巻回された釣糸Ｃの所定位置が掛けられ、この所定位置よりもスプール本体３ａに巻回された釣糸Ｃが引き出されないようにし、所定の深さの魚影の濃い釣棚へ手返し良く釣糸Ｃを送り出し仕掛けを止めることができるようにするためのものである。
【００１９】
＜モータ＞
モータ４は、リール本体２の底面部２ａ上に設置されている揺動プレート２ｆ上の長手方向の先端部に設置されて固定されている。具体的に、このモータ４は、略円柱状のモータ本体４ａを有し、このモータ本体４ａの軸方向の一端側である先端側に円柱状の駆動軸４ｂが同心状に突出して取り付けられている。そして、このモータ本体４ａの基端側には、駆動軸４ｂを回転駆動させるための電源供給用の一対の電極４ｃ，４ｄが設けられている。ここで、このモータ４は、図１に示すように、リール本体２のスプール軸２ｅに取り付けられたスプール３の下側に位置する鍔部３ｃの外側面である下面側に駆動軸４ｂを近接させ、この駆動軸４ｂの回転軸方向をスプール３の回転方向に直交させた状態で、揺動プレート２ｆ上の先端縁に取り付けられている。すなわち、このモータ４は、揺動プレート２ｆを揺動させて、このモータ４の駆動軸４ｂをスプール３の下側の鍔部３ｃの下面に接触させることによって、このスプール３を周方向に回転させる構成とされている。
【００２０】
＜バッテリ＞
バッテリ５は、略円筒状に形成されたバッテリ本体５ａを有し、このバッテリ本体５ａの軸方向をリール本体２の長手方向に沿わせた状態で、揺動プレート２ｆより基端側の底面部２ａ上に設置されている。そして、バッテリ本体５ａの軸方向の一端部が陽極部（＋）５ｂとされ、このバッテリ本体５ａの他端部が陰極部（−）５ｃとされている。さらに、このバッテリ５は、陽極部５ｂを揺動プレート２ｆの先端側に、陰極部５ｃを揺動プレート２ｆの基端側に向けて設置されている。そして、この陰極部５ｃは、配線を介してモータ４の一方の電極４ｃに電気的に接続されている。
【００２１】
＜スイッチ機構＞
スイッチ機構６は、リール本体２の長手方向を略水平にした状態から、このリール本体２の長手方向の先端側が上方に位置し基端側が下方に位置する釣り上げ方向としての竿先上げ方向Ｕに傾斜させることによってモータ４を駆動させる構成とされている。具体的に、このスイッチ機構６は、揺動プレート２ｆ上に設置された導電性を有するスイッチ板６ａと、このスイッチ板６ａ上に設置された導電性を有する移動体６ｂと、揺動プレート２ｆ上の長手方向の基端側に取り付けられたスイッチ体６ｃとを備えている。さらに、揺動プレート２ｆ上のスイッチ板６ａの先端縁には、このスイッチ板６ａの先端部を閉塞する閉塞面６ｄが設けられており、この閉塞面６ｄの先端側にモータ４が取り付けられ、この閉塞面６ｄの基端側に緩衝部材６ｅが取り付けられている。この緩衝部材６ｅは、先端側の一側面が側面視凹弧状に形成されており、この凹弧状の一側面をスイッチ板６ａの基端側に向けた状態で取り付けられている。また、揺動プレート２ｆ上のスイッチ板６ａの基端縁には、このスイッチ板６ａの基端部を閉塞する閉塞面６ｆ設けられており、この閉塞面６ｆの先端側にスイッチ板６ａが取り付けられ、この閉塞面６ｆの基端側にスイッチ体６ｃが取り付けられている。
【００２２】
一方、スイッチ板６ａは、長手方向を有する細長略矩形平板状に形成されており、このスイッチ板６ａの長手方向を揺動プレート２ｆの長手方向に沿わせた状態で取り付けられている。さらに、このスイッチ板６ａの長手方向の中央部には、図１に示すように、リール本体２の長手方向を略水平に位置させた状態で、移動体６ｂを位置させるための側面視凹状の中央凹部６ａａが設けられている。そして、このスイッチ板６ａの中央凹部６ａａより先端側は、上方に向けて傾斜した先端側傾斜部６ａｂとされており、この中央凹部６ａａより基端側にもまた、上方に向けて傾斜した基端側傾斜部６ａｃとされている。この基端側傾斜部６ａｃは、スイッチ板６ａの中央凹部６ａａより基端側の部分の略２分の１の部分に亘って設けられており、この中央凹部６ａａより基端側の中間部には、側面視凸状の突出部６ａｄが設けられている。この突出部６ａｄは、釣竿Ｂの竿先を上下させて、釣糸Ｃの先の仕掛けに取付けた釣餌（図示せず）に誘いを与える程度の傾斜では、この突出部６ａｄを越えて移動体６ｂがスイッチ体６ｃに接触しないようにするために設けられている。さらに、スイッチ板６ａの突出部６ａｄより基端側は、側面視凹弧状に湾曲した湾曲部６ａｅとされており、この湾曲部６ａｅの基端側には、スイッチ板６ａの基端縁を上方に折り曲げて形成された屈曲片部６ａｆが設けられている。なお、これら中央凹部６ａａ、先端側傾斜部６ａｂ、基端側傾斜部６ａｃ、突出部６ａｄ、湾曲部６ａｅおよび屈曲片部６ａｆのそれぞれは、細長矩形平板状のスイッチ板６ａの長手方向を適宜湾曲または屈曲させて形成されたものである。
【００２３】
次いで、移動体６ｂは、円柱状に形成された導通体としてのウエイトであって、この移動体６ｂの軸方向をスイッチ板６ａの幅方向に沿わせた状態で、このスイッチ板６ａ上に設置されている。ここで、この移動体６ｂは、スイッチ板６ａの湾曲部６ａｅの曲率半径より小さな外径寸法に形成されており、リール本体２の長手方向を傾斜させることによって、スイッチ板６ａ上を回転しながら移動する構成とされている。すなわち、この移動体６ｂは、リール本体２の長手方向を略水平に位置させた際に、スイッチ板６ａの中央凹部６ａａに位置し、このリール本体２の長手方向を竿先上げ方向Ｕに傾斜させた際に、スイッチ板６ａの基端側へ移動していく。また、この移動体６ｂは、リール本体２を竿先上げ方向Ｕに傾斜させた状態から略水平な状態にした際に、スイッチ板６ａの突出部６ａｄを乗り越え、このスイッチ板６ａの湾曲部６ａｅへ移動する。さらに、この移動体６ｂは、リール本体の長手方向を略水平にした状態から、先端側が下方に位置し基端側が上方に位置する釣糸送込み方向としての竿先下げ方向Ｄに傾斜させた際に、スイッチ板６ａの中央凹部６ａａから先端側傾斜部６ａｂへ移動していく構成とされている。
【００２４】
さらに、スイッチ体６ｃは、リール本体２の長手方向を竿先上げ方向Ｕに傾斜させることにより移動体６ｂに接触し、この移動体６ｂｂを介してスイッチ板６ａと電気的に接続されてオンしモータ４を駆動させてスプール３を回転させ、釣糸Ｃを巻き上げるための巻き上げ用スイッチである。具体的に、このスイッチ体６ｃは、箱状のスイッチ本体６ｃａを備えている。このスイッチ本体６ｃａの一側面には、導電性を有するスイッチ部６ｃｂが突出して設けられている。このスイッチ体６ｃｂは、揺動プレート２ｆの基端側に取り付けられた閉塞面６ｆの先端側にスイッチ部６ｃｂを突出させつつ、この閉塞面６ｆの基端側にスイッチ本体６ｃａを取り付けた構成とされている。また、このスイッチ本体６ｃａには、一対の電極６ｃｃ，６ｃｄが設けられ、一方の電極６ｃｃは、配線を介してバッテリ５の陽極部５ｂに電気的に接続されている。また、このスイッチ本体６ｃａの他方の電極６ｃｄは、移動体６ｂおよびスイッチ板６ａを介してモータ４の一方の電極４ｄに電気的に接続可能な構成とされている。
【００２５】
＜巻取スイッチ＞
また、このスイッチ本体６ｃａの一方の電極６ｃｃには、モータ４の駆動をオンオフさせる巻取スイッチ７の一方の電極７ａが配線を介して電気的に接続されている。この巻取スイッチ７は、移動体６ｂの移動によるスイッチ体６ｃのオンオフとは関係なく、バッテリ５からモータ４への電力供給をオンオフさせるものである。そして、この巻取スイッチ７は、一対の電極７ａ，７ｂが設けられた略直方体状のスイッチ本体７ｃを備えており、このスイッチ本体７ｃの上面に操作部となるスイッチ部７ｄが突出して設けられている。このスイッチ部７ｄは、図１に示すように、リール本体２の上面部２ａより上方に突出させて取り付けられており、このリール本体２の外側から操作可能となる構成とされている。
【００２６】
＜過巻防止スイッチ＞
さらに、巻取スイッチ７の他方の電極７ｂは、スプール３に巻回されている釣糸Ｃの巻き込み過ぎを防止するための過巻防止スイッチ８の一方の電極８ａに配線を介して電気的に接続されている。この過巻防止スイッチ８は、一対の電極８ａ，８ｂが設けられた直方体状のスイッチ本体８ｃを備えている。このスイッチ本体８ｃは、リール本体２内の嵌挿部２ｃとスプール３との間に取り付けられている。また、このスイッチ本体８ｃの上部には、スプール３に巻回されている釣糸Ｃを挿通させるためのガイド部８ｄが取り付けられている。そして、このガイド部８ｄと釣竿Ｂの最も基端側のガイドＡとの間の釣糸Ｃには、球体状のビーズ玉であるシモリ玉Ｅの挿通穴（図示せず）に挿通されて、このシモリ玉Ｅが移動可能に取り付けられている。このシモリ玉Ｅの挿通穴は、釣糸Ｃの先端側に設けられた巻込防止部としての結び目等の止糸（図示せず）に係止する構造とされている。すなわち、過巻防止スイッチ８は、スプール３を回転させて釣糸Ｃを巻き取り動作させた際に、止糸がシモリ玉Ｅに係止し、このシモリ玉Ｅにて過巻防止スイッチ８のガイド部８ｄがリール本体２の基端側に押されるまで釣糸Ｃを巻き取った場合にオンしてモータ４の駆動を停止させる構造とされている。
【００２７】
＜クラッチ＞
さらに、リール本体２内のモータ４の上部には、このモータ４によるスプール３の回転をオンオフさせるためのクラッチ９が取り付けられている。このクラッチ９は、細長円柱状のクラッチ本体９ａを備えており、このクラッチ本体９ａの軸方向をリール本体２の上下方向に沿わせた状態で取り付けられている。さらに、このクラッチ本体９ａの上端部には、このクラッチ本体９ａより径寸法が大きな略円盤状の操作部９ｂが同心状に設けられている。この操作部９ｂは、リール本体２の上面部２ｂより上方に突出させて取り付けられている。さらに、クラッチ本体９ａの下端部には、球面状の押圧部９ｃが設けられている。この押圧部９ｃは、モータ４のモータ本体２の上面に対向させて取り付けられている。
【００２８】
そして、クラッチ９は、リール本体２の上面部２ｂより上方に操作部９ｂを突出させた状態で、この上面部２ｂにクラッチ本体９ａが摺動可能に挿通されて取り付けられている。すなわち、このクラッチ９は、操作部９ｂを押圧することによって、押圧部９ｃがモータ４のモータ本体４ａの上面部に当接してモータ４を下方へ押し、スイッチ機構６の揺動プレート２ｆの先端側を、支点２ｇを中心として下方に揺動させる。よって、このクラッチ９は、モータ４の駆動軸４ｂによるスプール３の下方の鍔部３ｃへの接触を解除させ、このスプール３を回転自在の状態、すなわちスプール３から釣糸Ｃを引き出すことが可能なフリー状態にする構成とされている。
【００２９】
さらに、このクラッチ９は、操作部９ｂの押圧を解除させることによって、押圧部９ｃによるモータ４の押圧を解除させ、スイッチ機構６の自重により、揺動プレート２ｆの先端側を支点２ｇを中心として上方に揺動させ、このモータ４の駆動軸４ｂをスプール３の下方の鍔部３ｃへ接触させる。よって、このクラッチ９は、モータ４にてスプール３を回転駆動させることができる状態、すなわちスプール３へ釣糸Ｃを巻き取ることが可能なロック状態にする構成とされている。
【００３０】
＜安全装置＞
揺動プレート２ｆの基端側の閉塞面６ｆの上部には、リール本体２を略水平に位置させた状態で、スイッチ機構６のスイッチ部６ｃｂへの移動体６ｂの接触状態、すなわちオン状態の継続を停止させて防止するための安全装置１０が設けられている。この安全装置１０は、揺動プレート２ｆの閉塞面６ｆの上部から下方に向けて突出されて取り付けられている。すなわち、この安全装置１０は、リール本体２を竿先上げ方向Ｕに傾けた状態から略水平な状態に戻した際に、移動体６ｂがスイッチ板６ａの突出部６ａｄを乗り越えずに湾曲部６ａｅ上に留まった場合においても、この移動体６ｂがスイッチ部６ｃｂに接触しないようにする構成とされている。
【００３１】
次に、上記一実施形態の電動リール装置１の作用について説明する。
【００３２】
＜準備動作＞
まず、リール本体２の嵌挿部２ｃに釣竿Ｂの基端部を挿入して嵌合させるとともに、この釣竿Ｂの各ガイドＡと、リール本体２の過巻防止スイッチ８のガイド部８ｄとが直線上となるように位置合わせする。
【００３３】
次いで、リール本体２のクラッチ９の操作部９ｂを押す等してスプール３をフリー状態にしてから、このスプール３に巻回されている釣糸Ｃを引き出していく。このとき、この釣糸Ｃが過巻防止スイッチ８のガイド部８ｄに挿通されていない場合には、このガイド部８ｄに釣糸Ｃを挿通させた後、この釣糸Ｃにシモリ玉Ｅを挿通させる。
【００３４】
この後、この釣糸Ｃを釣竿Ｂの基端側のガイドＡから先端側のガイドＡに向けて順番に挿通させていき、この釣竿Ｂの最も先端側の竿先のガイドＡに挿通された釣糸Ｃの先端部にサルカン等のヨリモドシ（図示せず）を介して所定の仕掛けを取り付ける。このとき、この釣糸Ｃの先端部から釣竿Ｂの長さ分ほど基端側の部分に、巻込防止部となる止糸を設けておく。
【００３５】
次いで、この釣糸Ｃの先端部に取り付けられた仕掛けに所定の錘（図示せず）を取り付けるとともに、この仕掛けの各釣針に所定の釣餌（図示せず）を取り付ける。
【００３６】
このとき、リール本体２の長手方向を略水平に位置させた状態においては、図２に示すように、スイッチ機構６およびモータ４の自重により、支点２ｇを中心としてリール本体２の底面部２ａと揺動プレート２ｆとが略平行な状態となっている。このため、スイッチ機構６の移動体６ｂは、自重によりスイッチ板６ａの中央凹部６ａａに位置した状態となっている。
【００３７】
＜投入動作＞
この状態で、リール本体２のクラッチ９の操作部９ｂを押すと、このクラッチ９の押圧部９ｃにてモータ４のモータ本体４ａの上面が押され、支点２ｇを中心として揺動プレート２ｆの先端側が下方に向けて移動するように、この揺動プレート２ｆが揺動する。このとき、この揺動プレート２ｆの揺動によって、モータ４の駆動軸４ｂによるスプール３の下側の鍔部３ｃの下面への接触が解除され、このスプール３が回転自在な状態、すなわちフリー状態となる。この結果、釣糸Ｃの先端部の仕掛けに取り付けた錘の自重によって、スプール３に巻回された釣糸Ｃが引き出されていく。
【００３８】
そして、例えば仕掛けが所望する深さの釣棚へ到達した場合等に、クラッチ９の操作部９ｂの押し操作を解除させる。すると、このクラッチ９の押圧部９ｃによるモータ４の押圧が解除され、スイッチ機構６およびモータ４の自重により、揺動プレート２ｆの先端側が支点２ｇを中心として上方に揺動する。この結果、モータ４の駆動軸４ｂがスプール３の下方の鍔部３ｃへ接触し、このモータ４にてスプール３を回転駆動可能な状態、すなわちスプール３へ釣糸Ｃを巻き取ることが可能なロック状態となる。
【００３９】
このとき、モータ４の駆動軸４ｂがスプール３の下側の鍔部３ｃの下面に接触していることにより、このスプール３の回転方向に所定の負荷（引き出し抵抗）が掛かった保持状態となり、このスプール３の回転、すなわち釣糸Ｃの引き出しが抑制された状態となる。
【００４０】
＜誘い動作＞
この状態で、リール本体２を把持等して竿先を上下方向に移動させ、仕掛けに取り付けた釣餌に誘いを与えた場合には、スイッチ機構６のスイッチ板６ａの突出部６ａｄによって、このスイッチ板６ａの基端側への移動体６ｂの移動が阻止されている。このため、この移動体６ｂがスイッチ体６ｃに接触せず、バッテリ５からのモータ４への電力供給、すなわち巻取り動作を開始させずに、釣竿Ｂを誘い動作させることができる。
【００４１】
＜巻上げ動作＞
そして、釣糸Ｃが引かれる等の当たりを感じ、仕掛けのいずれかの釣餌に魚が食い付き、釣針に魚が掛かったと思われた場合には、例えばリール本体２を把持して釣竿Ｂの竿先を上方へ移動させる合わせ動作を行いつつ、このリール本体２の長手方向を竿先上げ方向Ｕに傾斜させる。
【００４２】
すると、図３に示すように、スイッチ機構６の移動体６ｂがスイッチ板６ａの突出部６ａｄを乗り越えて湾曲部６ａｅへ移動していき、この移動体６ｂがスイッチ板６ａの屈曲片部６ａｆおよびスイッチ体６ｃのスイッチ部６ｃｂのそれぞれに接触した状態となる。
【００４３】
この結果、この移動体６ｂを介してスイッチ体６ｃのスイッチ部６ｃｂとスイッチ板６ａとが電気的に接続され、このスイッチ体６ｃがオンした状態となり、バッテリ５からモータ４への電力供給が開始され、このモータ４の駆動軸４ｂの回転に伴いスプール３が回転して釣糸Ｃが巻き上げられていく。
【００４４】
このとき、リール本体２を竿先上げ方向Ｕに傾斜させる場合のほか、このリール本体２の巻取スイッチ７を押してオンすることによっても、バッテリ５からモータ４への電力供給を開始でき、このモータ４の駆動軸４ｂの回転にてスプール３を回転させ釣糸Ｃを巻き取ることができる。
【００４５】
＜巻上げ停止動作＞
そして、このスプール３への釣糸Ｃの巻き上げが進行していき、この釣糸Ｃの先端部に取り付けられた仕掛けを手許に回収できる状態になった場合には、リール本体２の長手方向を略水平な状態に戻す。すると、図２に示すように、スイッチ機構６およびモータ４の自重により、支点２ｇを中心として揺動プレート２ｆの先端側が上方に向けて揺動していき、リール本体２の底面部２ａと揺動プレート２ｆとが略平行な状態となる。
【００４６】
この結果、スイッチ機構６の移動体６ｂが湾曲部６ａｅから突出部６ａｄを乗り越えて中央凹部６ａａへ移動していく。よって、この移動体６ｂを介したスイッチ体６ｃのスイッチ部６ｃｂとスイッチ板６ａとの電気的な接続が解除され、バッテリ５からモータ４への電力供給が停止されて、このモータ４の駆動に伴うスプール３の回転による釣糸Ｃの巻き上げが停止する。
【００４７】
＜巻き込み防止動作＞
このとき、モータ４の駆動に伴うスプール３の回転による釣糸Ｃの巻き上げが進行し過ぎ、この釣糸Ｃの先端部に設けられた止糸がシモリ玉Ｅに係止され、この止糸にてシモリ玉Ｅが引き込まれ、過巻防止スイッチ８のガイド部８ｄがリール本体２の基端側に押される。この場合には、過巻防止スイッチ８がオンし、バッテリ５の陽極部５ｂとモータ４の電極４ｄとの電気的な接続が解除され、このモータ４への電力供給が停止されてスプール３の回転が停止され、釣糸Ｃの過巻が防止される。
【００４８】
＜再投入動作＞
そして、回収した仕掛けを水中に再度投入する場合には、リール本体２のクラッチ８の操作部９ｂを押す操作のほか、このリール本体２を竿先下げ方向Ｄに前傾させて傾斜させる。すると、図４に示すように、移動体６ｂの自重により、この移動体６ｂがスイッチ機構６のスイッチ板６ａの先端側傾斜部６ａｂへ移動していき緩衝部材６ｅに接触した状態となる。
【００４９】
この結果、支点２ｇを中心として揺動プレート２ｆの先端側が下方に向けて揺動し、この揺動プレート２ｆに取り付けられたモータ４の駆動軸４ｂによるスプール３の下側の鍔部３ｃの下面への接触が解除される。よって、このスプール３がフリー状態となり、釣糸Ｃの先端部の仕掛けに取り付けた錘の自重によって、スプール３に巻回された釣糸Ｃが引き出されていく。
【００５０】
そして、例えば仕掛けが所望する深さの釣棚へ到達した場合等には、リール本体２の竿先下げ方向Ｄへの傾きを解除させ、このリール本体２を略水平な状態にする。すると、スイッチ機構６およびモータ４の自重により、揺動プレート２ｆの先端側が支点２ｇを中心として上方に揺動し、この揺動プレート２ｆ上に設置されたモータ４が上方へ移動することにより、このモータ４の駆動軸４ｂがスプール３の下側の鍔部３ｃの下面に接触する。よって、このスプール３のフリー状態が解消され、このスプール３から釣糸Ｃを引き出すことが抑制されたロック状態となり、所定の深さの釣棚に仕掛けを停止させて魚釣りを行うことができる。
【００５１】
＜作用効果＞
以上のように、上記一実施形態の電動リール装置１によれば、例えばリール本体２を把持し、このリール本体２を略水平にした状態から竿先上げ方向Ｕに傾斜させて後傾させることにより、スイッチ機構６の移動体６ｂが自重により基端側へ移動していく。この結果、このスイッチ機構６のスイッチ体６ｃのスイッチ部６ｃｂに接触し、このスイッチ部６ｃｂが移動体６ｂを介してスイッチ板６ａの屈曲片部６ａｆに電気的に接続されてオンし、バッテリ５からの電力がモータ４へ供給されて駆動する。よって、このモータ４の駆動軸４ｂの回転にてスプール３を回転させることができる。
【００５２】
したがって、図２に示すように、リール本体２を竿先上げ方向Ｕに傾けるだけで、スプール３を自動的に回転させることができ、このスプール３に巻回されている釣糸Ｃを巻き取ることができる。よって、魚の引き（あたり）に合わせて竿先を持ち上げる等して合わせを加えた後、リール本体２を竿先上げ方向Ｕに傾斜させることによって、釣糸Ｃの巻き取り動作を開始でき、仕掛けの回収作業を開始することができる。また、所定のスイッチのオンで釣糸の巻き取りが開始される従来の電動リール装置に比べ、魚の引きに伴う合わせに連動させた一連の動作で釣糸Ｃの回収作業を開始させることができるから、魚の様々な引きの強さや感触に対応させて魚を釣り上げることができる。
【００５３】
ここで、リール本体２のスイッチ機構６のスイッチ板６ａの中央凹部６ａａの基端側に突出部６ａｄを設けた構成とした。この結果、この突出部６ａｄを移動体６ｂが乗り越える程度まで、リール本体２を竿先上げ方向Ｕに傾けた場合にのみ、移動体６ｂを介したスイッチ部６ｃｂとスイッチ板６ａとの電気的な接続、すなわちスイッチ体６ｃをオンさせてスプール３を回転させ釣糸Ｃを巻き取り動作させることができる。よって、竿先を上下させて仕掛けに付けた釣餌に誘いを与える程度のリール本体２の傾きでは、スイッチ板６ａの突出部６ａｄを移動体６ｂが乗り越えず、モータ４が駆動せずスプール３の回転による仕掛けの回収が開始されない。このため、リール本体２をある程度傾斜させつつ竿先を上下させて、仕掛けに付けた釣餌に誘いを与えることができる。
【００５４】
また、魚の引きとは関係なく、利用者の判断に基づいて、リール本体２を竿先上げ方向Ｕに傾斜させることによっても、スプール３を自動的に回転させて釣糸Ｃを巻き取ることができる。その一方、リール本体２を竿先上げ方向Ｕに傾斜させるタイミングや速さを変化させることによって、移動体６ｂがスイッチ体６ｃに接触するまでの時間を調整でき、スプール３を自動的に回転させて釣糸Ｃの回収を開始させるタイミングを調整することができる。また、リール本体２の傾きを適宜調整することによって、釣糸Ｃの回収作業を断続的に行うこともできるとともに、釣糸Ｃの巻き上げ途中で魚がばれた場合等に、この釣糸Ｃの回収を停止させ、再度釣糸Ｃを引き出して仕掛けを目的とする釣棚へ投入することもできる。
【００５５】
さらに、リール本体２を竿先上げ方向Ｕに傾斜させて釣糸Ｃを巻き上げている状態から、このリール本体２を略水平な状態とすると、図２に示すように、スイッチ機構６およびモータ４の自重により、支点２ｇを中心として揺動プレート２ｆの先端側が上方に向けて揺動していく。この結果、スイッチ機構６の移動体６ｂが突出部６ａｄを乗り越えて中央凹部６ａａへ移動し、この移動体６ｂを介したスイッチ部６ｃｂとスイッチ板６ａとの電気的な接続が解除され、モータ４の駆動に伴うスプール３の回転による釣糸Ｃの巻き上げを停止させることができる。よって、リール本体２を竿先上げ方向Ｕに傾斜させた状態から略水平な状態にすることによって、モータ４の駆動に伴うスプール３の回転を停止でき、このスプール３に巻回された釣糸Ｃの巻き取りを停止させることができる。
【００５６】
またさらに、リール本体２を竿先下げ方向Ｄに傾けた場合には、図４に示すように、スイッチ機構６の移動体６ｂがスイッチ板６ａの先端側に移動していく。この結果、支点２ｇを中心として揺動プレート２ｆの先端側か下方に向けて揺動し、この揺動に伴い揺動プレート２ｆ上のモータ４が下方へ移動するため、モータ４の駆動軸４ｂによるスプール３の下側の鍔部３ｃの下面への接触が解除され、スプール３がフリー状態となる。よって、釣糸Ｃの先端部の仕掛けに取り付けた錘の自重等によって、スプール３に巻回された釣糸Ｃが引き出され、仕掛けを投入することができる。
【００５７】
さらに、リール本体２を竿先下げ方向Ｄに傾けた状態から略水平な状態にすると、支点２ｇを中心として揺動プレート２ｆの先端側が上方に向けて揺動することにより、この揺動プレート２ｆ上のモータ４が上方へ移動し、このモータ４の駆動軸４ｂがスプール３の下側の鍔部３ｃの下面に接触する。このため、このモータ４の駆動軸４ｂとスプール３の鍔部３ｃとの接触によって、スプール３のフリー状態が解除され、このスプール３から釣糸Ｃを引き出すことが抑制されたロック状態にできる。
【００５８】
以上から、リール本体２を竿先上げ方向Ｕに傾けることにより釣糸Ｃを巻上げることができ、このリール本体２を竿先下げ方向Ｄに傾けることにより釣糸Ｃを引き出し可能にできるとともに、リール本体２を略水平な状態にするとスプール３をロック状態にできる。よって、リール本体２を把持する手の手首のスナップで電動リール装置１のオンオフを制御することができるから、釣糸Ｃの上げ下げの自由度を向上でき、優れた操作性を有するため、魚釣りの初心者および熟練者を問わず、様々な利用者の使い勝手を向上することができる。
【００５９】
また、スイッチ板６ａ、移動体６ｂおよびスイッチ体６ｃのそれぞれを導電性の部材にて形成した比較的簡単な構成でスイッチ機構６を構成することができる。よって、このスイッチ機構６をより的安価にかつ製造性良く製造することができるから、このスイッチ機構６を備えた電動リール装置１を比較的安価にかつリーズナブルに製造することができる。
【００６０】
さらに、リール本体２内のスイッチ機構６のスイッチ板６ａの突出部６ａｄの基端側に凹状の湾曲部６ａｅを設けるとともに、このリール本体２内の揺動プレート２ｆの基端側の閉塞面６ｆの上部に安全装置１０を設けた構成とした。この結果、リール本体２を略水平な状態にした際に、移動体６ｂの自重によって、スイッチ板６ａの湾曲部６ａｅの中央へ移動体６ｂが移動し、かつ安全装置１０にてスイッチ機構６のスイッチ部６ｃｂへの移動体６ｂの接触状態の継続が防止される。
【００６１】
よって、リール本体２を竿先上げ方向Ｕに傾け、移動体６ｂをスイッチ部６ｃｂに接触させて巻き取り操作した後、リール本体２を略水平な状態に戻した際に、移動体６ｂがスイッチ板６ａの突出部６ａｄを乗り越えずに湾曲部６ａｅ上に留まった場合でも、移動体６ｂがスイッチ部６ｃｂに接触しない。よって、リール本体２を竿先上げ方向Ｕから略水平な状態に戻した際等における、スプール３の回転の継続を防止することができるから、釣糸Ｃの巻き上げ動作が停止しないといった誤動作の発生を防止することができる。
【００６２】
＜その他＞
なお、上記一実施形態では、リール本体２を竿先上げ方向Ｕに傾けると、移動体６ｂの自重によりスイッチ体６ｃのスイッチ部６ｃｂとスイッチ板６ａの屈曲片部６ａｆとのそれぞれに接触して電気的に接続されてスイッチ体６ｃがオンしモータ４が駆動されスプール３が回転する。また、このリール本体２を略水平な状態にすると、移動体６ｂが移動し、この移動体６ｂを介したスイッチ体６ｃのスイッチ部６ｃｂとスイッチ板６ａの屈曲片部６ａｆとの電気的な接触が解除されスイッチ体６ｃがオフしモータ４の駆動が停止される構成とした。しかしながら、本発明はこれに限らず、リール本体２を竿先上げ方向Ｕに傾けるとオンし、リール本体２を略水平な状態にするとオフする構成のスイッチ機構６であれば、例えばリール本体２の傾きを感知する傾きセンサを用いたものなどの、どのような構成のものであっても良い。
【００６３】
さらに、このスイッチ機構６のスイッチ板６ａおよび移動体６ｂによる揺動機構としては、このスイッチ機構６の基端側の閉塞面６ｆの上側に、下面が基端側に向けて先細状に傾斜した楔状のスライド部材を取り付ける構成とすることもできる。すると、リール本体２を竿先上げ方向Ｕに向けた場合にスライド部材が自重により基端側にスライド移動してスイッチ機構６の閉塞面６ｆの上側を押圧し、モータ４の駆動軸４ｂをスプール３の下側の鍔部３ｃの下面に押圧させて釣糸Ｃを巻き取り可能にする。さらに、このリール本体２を竿先下げ方向Ｄに向けた場合には、スライド部材が自重により先端側にスライド移動してスイッチ機構６の閉塞面６ｆの上側の押圧が解除され、モータ４の駆動軸４ｂをスプール３の下側の鍔部３ｃの下面から離させて、このスプール３をフリー状態にできる。
【００６４】
さらに、スイッチ体６ｃのスイッチ部６ｃｂ、移動体６ｂ、スイッチ板６ａのそれぞれを導電性の部材にて形成し、この移動体６ｂをスイッチ体６ｃのスイッチ部６ｃｂおよびスイッチ板６ａの屈曲片部６ａｆに接触させて電気的に接続してオンするスイッチ体とした。しかしながら、スイッチ体６ｃとしては、この構成に限定されず、例えばスイッチ部６ｃｂを押すとオンし離すとオフするマイクロスイッチ等の物理的に電気を流すことができるものであれば、どのような構成であっても良い。
【００６５】
また、スイッチ機構６のスイッチ板６ａ上を円柱状の移動体６ｂが回転しながら移動する構成としたが、スイッチ板６ａ上を転がる形状であれば、球状の移動体６ｂとしても良い。さらに、この移動体６ｂとしては、スイッチ板６ａ上を摺動してスライド移動する、例えば立方体等の移動体６ｂとしても良い。
【００６６】
また、ワカサギ以外の魚をターゲットとした電動リール装置１としても用いることができる。
【符号の説明】
【００６７】
１      電動リール装置
２      リール本体
２ａ    底面部
２ｂ    上面部
２ｃ    嵌挿部
２ｄ    切欠部
２ｅ    スプール軸
２ｆ    揺動プレート
２ｇ    支点
３      スプール
３ａ    スプール本体
３ｂ    鍔部
３ｃ    鍔部
３ｄ    フック体
４      モータ
４ａ    モータ本体
４ｂ    駆動軸
４ｃ    電極
４ｄ    電極
５      バッテリ
５ａ    バッテリ本体
５ｂ    陽極部
５ｃ    陰極部
６      スイッチ機構
６ａ    スイッチ板
６ａａ  中央凹部
６ａｂ  先端側傾斜部
６ａｃ  基端側傾斜部
６ａｄ  突出部
６ａｅ  湾曲部
６ａｆ  屈曲片部
６ｂ    移動体
６ｃ    スイッチ体
６ｃａ  スイッチ本体
６ｃｂ  スイッチ部
６ｃｃ  電極
６ｃｄ  電極
６ｄ    閉塞面
６ｅ    緩衝部材
６ｆ    閉塞面
７      巻取スイッチ
７ａ    電極
７ｂ    電極
７ｃ    スイッチ本体
７ｄ    スイッチ部
８      過巻防止スイッチ
８ａ    電極
８ｂ    電極
８ｃ    スイッチ本体
８ｄ    ガイド部
９      クラッチ
９ａ    クラッチ本体
９ｂ    操作部
９ｃ    押圧部
１０    安全装置
Ａ      ガイド
Ｂ      釣竿
Ｃ      釣糸
Ｄ      竿先下げ方向
Ｅ      シモリ玉
Ｕ      竿先上げ方向
【図１】
0003174513.tif 000003
【図２】
0003174513.tif 000004
【図３】
0003174513.tif 000005
【図４】
0003174513.tif 000006